(57)【要約】【課題】付け外しの際等における落下を防止するとともに、製造コストの低減や取付作業性の向上を実現する電線端部の処理方法および引留め端末の防護具を提供する。【解決手段】ストッパカバー２０は、絶縁シートを裁断してなるカバー本体２１と、それぞれ３組の雄面ファスナー２２ａ〜２４ａおよび雌面ファスナー２２ｂ〜２４ｂを主要構成要素としている。端末キャップ３０は、中空コーン状を呈する樹脂射出成形品のキャップ本体３１と、キャップ本体３１の基端側に設けられた芯線クランプ３２とからなっている。スライド機構４０は、ストッパカバー２０の収容空間２５ａに保持されるレール４１と、レール４１に沿って移動するスライダ４２と、スライダ４２と端末キャップ３０とを連結する連結バンド４３とから構成されている。【選択図】図２
2017163794.tif 000002
【特許請求の範囲】
【請求項１】
被覆の滑りを防止するストッパが芯線に装着された電線端部の処理方法であって、
ストッパから突き出た芯線に、当該芯線を覆う端末キャップを固定する端末キャップ固定工程と、
前記ストッパと前記端末キャップとを、当該端末キャップに連結された絶縁素材製のストッパカバーによって覆うカバー装着工程と、
ストッパカバーの裏面に設けられた一組の面ファスナーを互いに係合させることにより、ストッパカバーの被覆側端部を閉じる面ファスナー係合工程と
を含む電線端部の処理方法。
【請求項２】
前記連結手段は、前記端末キャップと前記ストッパカバーとを前記芯線の軸方向に沿って相対移動させるスライド機構を有し、
前記端末キャップ固定工程では、前記端末キャップに対して前記ストッパカバーを前記ストッパから離れた位置に移動させ、
前記カバー装着工程では、前記端末キャップに対して前記ストッパカバーを前記ストッパを覆う位置に移動させる、請求項１に記載の電線端部の処理方法。
【請求項３】
請求項１に記載の電線端部の処理方法に用いられ、被覆から露出した芯線に被覆滑り防止用のストッパが装着された電線端末を絶縁保護する防護具であって、
前記芯線におけるストッパ装着後の露出部位に着脱自在に固定され、固定時に当該露出部位を覆う端末キャップと、
筒状に巻かれることで前記ストッパおよび前記端末キャップに被せられ、一組の面ファスナーを互いに係合させることによって被覆側の端部が閉じられるストッパカバーと、
前記端末キャップと前記ストッパカバーとを連結する連結手段と
を備えた引留め端末の防護具。
【請求項４】
前記連結手段は、少なくとも前記端末キャップの固定部位が露出する位置と前記ストッパを覆う位置との間で、前記ストッパカバーの移動を許容する、請求項３に記載の引留め端末の防護具。
【請求項５】
前記一組の面ファスナーは、前記ストッパカバーの裏面に設けられるとともに、その内側縁部が剥がれ防止用カバーによって覆われた、請求項３または請求項４に記載の引留め端末の防護具。
【請求項６】
前記連結手段は、前記ストッパカバーと前記端末キャップとの少なくとも一方に対して着脱自在に接続されている、請求項３〜請求項５のいずれか一項に記載の引留め端末の防護具。
【請求項７】
前記連結手段は、前記端末キャップに対して前記ストッパカバーを前記芯線の軸方向に沿って案内するスライド機構を含む、請求項３〜請求項６のいずれか一項に記載の引留め端末の防護具。
【請求項８】
前記スライド機構は、前記ストッパカバーと前記端末キャップとを相対回転不能に案内する、請求項８に記載の引留め端末の防護具。
【請求項９】
前記スライド機構は、前記ストッパカバーに保持されたレールと、前記端末キャップに固定されたスライダとを有する、請求項７または請求項８に記載の引留め端末の防護具。
【請求項１０】
前記スライド機構は、前記端末キャップに固定されたレールと、前記ストッパカバーに保持されたスライダとを有する、請求項７または請求項８に記載の引留め端末の防護具。
【発明の詳細な説明】
【技術分野】
【０００１】
本発明は、架空配電工事における間接活線工法に好適な電線端部の処理方法および引留め端末の防護具に関する。
【背景技術】
【０００２】
無停電工事において、柱間引留工具を用いた電線切断・接続作業の際には、電線の被覆が滑ることによる柱間引留工具の脱落防止のため、電線の芯線にストッパを取り付けたうえで、ケーブル端末の絶縁保護のために端末キャップを取り付けている。
【０００３】
芯線やストッパが露出した箇所については、これらを目に見えないようにストッパカバーで覆い、作業者の感電災害や短絡地絡事故を防止している。ストッパカバーは、絶縁性の高い樹脂素材からなる絶縁シートの端部に面ファスナーを溶着したものである。
【０００４】
ヤットコ等のホットスティックによる間接活線作業により、端末キャップとストッパを包み込むようにシート状のストッパカバーを被せて、端部の面ファスナーによりこれを固定している。
【先行技術文献】
【特許文献】
【０００５】
【特許文献１】特開平９−２３３６６６号公報
【特許文献２】特開２００２−２７６２４号公報
【発明の概要】
【発明が解決しようとする課題】
【０００６】
電線切断・接続作業の対象である高圧線は３本が水平または垂直に配置されており、その下方に低圧線が既設されているため、工事の際には高所作業車のバケットが家屋側の高圧線の真下まで入り込むことが出来ないケースが多い。
したがって、作業者は、やや離れた位置から、無理な体勢でホットスティックを取り扱うことになる。
【０００７】
ストッパカバーは、風雪による影響や電線の振動による影響の排除のほか、ストッパカバー自体の重量を支えるために、剥離強度の高い面ファスナーを使用している。
そのため、ホットスティックにより取り付ける際には、端末キャップおよびストッパの全体にストッパカバーを容易に被せることが難しく、何回かやり直すこと等で作業に手間がかかっていた。
また、ホットスティックによってストッパカバーを取り外す際には、強い力をかけて面ファスナーを引っ張るため、ストッパカバー本体から面ファスナーが剥がれてしまうこともあった。
【０００８】
このように、作業性の悪い場所で作業性の悪い工具を操作し、バランスを保ちながら一人で安全、確実に引留め端末を防護する作業は、作業者に大きな負担を強いていた。
そして、付け外しの際にストッパカバーが破損することを懸念して、厚くて硬い素材を採用したり、面ファスナーに強固な溶着を施したりすると、ストッパカバーの製造コストが高くなる傾向があった。
さらに、ストッパカバーは、付け外しの際にホットスティックで掴みそこねたり、面ファスナーの剥がれなどによってケーブル端末から外れたりして、周囲の地面や建物などの上に落下するおそれがあった。この場合、ストッパカバーが失われることによる損失だけでなく、近隣に少なからぬ迷惑が及ぶ問題があった。
【０００９】
本発明は、上記問題点に鑑みなされたものであり、付け外しの際等における落下を防止するとともに、製造コストの低減や取付作業性の向上を実現する電線端部の処理方法および引留め端末の防護具を提供することを目的とする。
【課題を解決するための手段】
【００１０】
本発明の電線端部の処理方法は、被覆の滑りを防止するストッパが芯線に装着された電線端部の処理方法であって、ストッパから突き出た芯線に、当該芯線を覆う端末キャップを固定する端末キャップ固定工程と、前記ストッパと前記端末キャップとを、当該端末キャップに連結された絶縁素材製のストッパカバーによって覆うカバー装着工程と、ストッパカバーの裏面に設けられた一組の面ファスナーを互いに係合させることにより、ストッパカバーの被覆側端部を閉じる面ファスナー係合工程とを含む。
【００１１】
好適には、前記連結手段は、前記端末キャップと前記ストッパカバーとを前記芯線の軸方向に沿って相対移動させるスライド機構を有し、前記端末キャップ固定工程では、前記端末キャップに対して前記ストッパカバーを前記ストッパから離れた位置に移動させ、前記カバー装着工程では、前記端末キャップに対して前記ストッパカバーを前記ストッパを覆う位置に移動させる。
【００１２】
また、本発明の引留め端末の防護具は、被覆から露出した芯線に被覆滑り防止用のストッパが装着された電線端末を絶縁保護する防護具であって、前記芯線におけるストッパ装着後の露出部位に着脱自在に固定され、固定時に当該露出部位を覆う端末キャップと、筒状に巻かれることで前記ストッパおよび前記端末キャップに被せられ、一組の面ファスナーを互いに係合させることによって被覆側の端部が閉じられるストッパカバーと、前記端末キャップと前記ストッパカバーとを連結する連結手段とを備える。
【００１３】
好適には、前記連結手段は、少なくとも前記端末キャップの固定部位が露出する位置と前記ストッパを覆う位置との間で、前記ストッパカバーの移動を許容する。
【００１４】
好適には、一組の面ファスナーは、前記ストッパカバーの裏面に設けられるとともに、その内側縁部が剥がれ防止用カバーによって覆われる。
【００１５】
好適には、前記連結手段は、前記ストッパカバーと前記端末キャップとの少なくとも一方に対して着脱自在に接続されている。
【００１６】
好適には、前記連結手段は、前記端末キャップに対して前記ストッパカバーを前記芯線の軸方向に沿って案内するスライド機構を含む。
【００１７】
好適には、前記スライド機構は、前記ストッパカバーと前記端末キャップとを相対回転不能に案内する。
【００１８】
好適には、前記スライド機構は、前記ストッパカバーに保持されたレールと、前記端末キャップに固定されたスライダとを有する。
【００１９】
好適には、前記スライド機構は、前記端末キャップに固定されたレールと、前記ストッパカバーに保持されたスライダとを有する。
【発明の効果】
【００２０】
本発明によれば、付け外しの際等において、連結手段によってストッパカバーの落下が防止される。また、面ファスナーに高い剥離強度が不要となり、面ファスナー間の係合面積も少なくてすむため、ホットスティックによるストッパカバーの着脱が容易となって作業性が著しく向上し、ストッパカバーも破損しにくくなる。
そして、ストッパカバーに着脱時や自重保持に伴う強度確保が必要なくなるので、製造コストが低減できる。
【００２１】
スライド機構を採用した場合には、作業者が目視しながら端末キャップを取り付け可能であると共に、筒状のストッパカバーをストッパ方向に水平移動させるだけで容易に取り付け可能となる。
また、取り外し時においては、ストッパカバーの端部をホットスティックのクランプ部で軽く引っ張るだけで、ストッパ端部が面ファスナー間の隙間を拡げ、容易に剥がすことが可能となる。
【図面の簡単な説明】
【００２２】
【図１】実施形態に係るストッパカバー装着後の電線端部の側面図である。
【図２】図１からストッパカバーを除去した状態の電線端部の側面図である。
【図３】実施形態に係るストッパカバーの裏面（ａ）および表面（ｂ）を示す図である。
【図４】実施形態に係るスライド機構の側面図である。
【図５】実施形態に係るスライド機構の基端側から見た斜視図である。
【図６】実施形態に係る図４中のＡ−Ａ断面図である。
【図７】実施形態に係る電線の切断からストッパ装着までの作業工程を示す図である。
【図８】実施形態に係る防護具側の装着準備作業を示す図である。
【図９】実施形態に係る防護具の取り付け工程を示す図である。
【図１０】実施形態に係る防護具の取り外し工程を示す図である。
【図１１】一部変形例に係るスライド機構の側面図である。
【図１２】一部変形例に係るスライド機構の基端側から見た斜視図である。
【図１３】一部変形例に係る図１１中のＢ−Ｂ断面図である。
【発明を実施するための形態】
【００２３】
以下、本発明の実施形態およびその一部変形例を、図１〜図１３を用いて詳細に説明する。
なお、ストッパカバーの説明にあたっては、図３において、図中左方を基端側、図中右方を先端側とし、図中上方を上、図中下方を下とする。
【００２４】
［実施形態］
＜実施形態の構成＞
図１は実施形態に係る防護具を装着した電線端部の側面図である。
図２は図１からストッパカバーを除去した（ストッパカバーを仮想線で示した）状態の電線端部の側面図である。
【００２５】
図１に示すように、電線１０は、柱間引留工具の把持部１によって空中で保持されており、筒状に巻かれたストッパカバー２０によってその端部が覆われている。
図２に示すように、電線１０の芯線１２には、端部側への被覆１１の滑りを防止する公知のストッパ２が装着されるとともに、ストッパ２から突き出た部分を覆う端末キャップ３０が固定されている。
ストッパカバー２０および端末キャップ３０は、これらを相対動可能に連結するスライド機構４０とともに、本実施形態の防護具１００を構成する。
【００２６】
（ストッパカバー）
図３は、実施形態に係るストッパカバーの裏面（ａ）および表面（ｂ）を示す図である。
【００２７】
図３（ａ），（ｂ）に示すように、ストッパカバー２０は、絶縁シートを裁断してなるカバー本体２１と、カバー本体２１の表面２１ａや裏面２１ｂに溶着されたそれぞれ３組の雄面ファスナー２２ａ〜２４ａおよび雌面ファスナー２２ｂ〜２４ｂを主要構成要素としている。
【００２８】
カバー本体２１は、電線端部に装着した状態（図１）で先細りのテーパとなるように２つの台形を斜めに繋ぎ合わせた形状を呈するとともに、ストッパ２の全体と端末キャップ３０の大部分を十分に収容できる寸法を有している。
【００２９】
雄面ファスナー２２ａは、カバー本体２１の裏面２１ｂの上端に溶着されており、カバー本体２１の表面２１ａの下端に溶着された雌面ファスナー２２ｂと係合してストッパカバー２０の胴部を筒形状に維持する。
また、雄面ファスナー２３ａおよび雌面ファスナー２３ｂは、ともにカバー本体２１の裏面２１ｂに溶着されており、互いに係合することでストッパカバー２０の基端側を閉じる。
そして、雄面ファスナー２４ａおよび雌面ファスナー２４ｂは、ともにカバー本体２１の裏面２１ｂに溶着されており、互いに係合することでストッパカバー２０の先端側を閉じる。
【００３０】
カバー本体２１の裏面２１ｂには、胴部の雄面ファスナー２２ａの直下に、スライド機構４０のレール４１（後述）を保持した状態で、長方形の帯状片２５の四周が縫合されている。
帯状片２５は、カバー本体２１との間にレール４１を保持する収容空間２５ａを画成するとともに、その中央にスライド機構４０のスライダ４２（後述）が通過するスリット２５ｂが中央に形成されている。
なお、帯状片２５は、収容空間２５ａにレール４１を収容した状態でカバー本体２１に溶着されるが、図３では煩雑になることを避けるべくレール４１やスライダ４２等を表示していない。
【００３１】
カバー本体２１の裏面２１ｂには、カバー本体２１と同様の素材からなる帯状の剥がれ防止用カバー２６ａ，２６ｂが溶着（あるいは、縫合）されており、これら剥がれ防止用カバー２６ａ，２６ｂによって基端側の雄面ファスナー２３ａおよび雌面ファスナー２３ｂの先端側縁部が覆われている。
また、剥がれ防止用カバー２６ａ，２６ｂとカバー本体２１との間には各１本の湾曲した樹脂ワイヤ２７ａ，２７ｂが挟み込まれており、カバー本体２１の基端側を拡げた状態に保持させることができる。なお、樹脂ワイヤ２７ａ，２７ｂは、剥がれ防止用カバー２６ａ，２６ｂに回転可能な遊びをもって収容されており、湾曲頂部が外側に向いた開き位置ではカバー本体２１の基端側を拡げた状態で保持し、開き位置から９０°回転した閉じ位置ではカバー本体２１の基端側を閉じた状態で保持する。
【００３２】
カバー本体２１の表面２１ａには、ホットスティック５のクランプ部５ａ（後述）で掴んだり引っ張ったりする際におけるカバー本体２１の損傷を抑制すべく、基端側および先端側に各一対の把持パッチ２８が溶着されている。
【００３３】
（端末キャップ）
図４は、実施形態に係るスライド機構の側面図である。
図５は、実施形態に係るスライド機構の基端側から見た斜視図である。
図６は、実施形態に係る図４中のＡ−Ａ断面図である。
【００３４】
図４〜図６に示すように、端末キャップ３０は、中空コーン状を呈する樹脂射出成形品のキャップ本体３１と、キャップ本体３１の基端側に設けられた芯線クランプ３２とからなっている。
【００３５】
キャップ本体３１には、軸方向中間部にバンド係止鍔３１ａ，３１ｂが形成されており、このバンド係止鍔３１ａ，３１ｂの間にスライド機構４０の連結バンド４３（後述）が保持される。
芯線クランプ３２は、ねじりコイルばねを内蔵したものであり、ハの字に開いた把持部３２ａを有している。
【００３６】
芯線クランプ３２は、ばね力によって芯線１２を掴むとともに、把持部３２ａがホットスティック５のクランプ部５ａ（後述）によって挟まれることで芯線１２を解放する。
【００３７】
（スライド機構）
図４〜図６に示すように、スライド機構４０は、ストッパカバー２０の収容空間２５ａに保持されるレール４１と、レール４１に沿って移動するスライダ４２と、スライダ４２と端末キャップ３０とを連結する連結バンド４３とから構成されている。
【００３８】
レール４１は、下面が平らとなったＤ字断面を呈する樹脂管であり、端部に基端側レールキャップ４１ａおよび先端側レールキャップ４１ｂが取り付けられている。両レールキャップ４１ａ，４１ｂは、樹脂の射出成形品であり、収容空間２５ａ内でのレール４１の回転を防止すべく略正方形の断面形状を呈している。
【００３９】
スライダ４２は、樹脂を素材とする射出成形品であり、レール４１との相対回転を防止すべくレール４１に対応したＤ字断面の内形を有している。
【００４０】
連結バンド４３は、樹脂ボルト４４と樹脂製のバンド４５とからなり、バンド４５の上端が図示しないリベット等によってスライダ４２の下部に固定されている。バンド４５には、ボルト４４の雄ねじ部４４ａが噛み合うねじ溝４５ａが設けられるとともに、その下端にボルト４４を保持するホルダ部４５ｂが取り付けられている。連結バンド４３では、公知のねじ式ホースバンドと同様に、ボルト４４を左回転させることによってバンド４５が拡径し、ボルト４４を右回転させることによってバンド４５が縮径する。
【００４１】
＜実施形態の作用＞
図７は、実施形態に係る電線の切断からストッパ装着までの作業工程を示す図である。
【００４２】
（防護具の取り付け）
間接活線工法において、高所作業車のバケットに乗った作業者は、図７（ａ）に示すように柱間引留工具の把持部１によって保持された電線１０をカッタ（図示せず）によって切断し、図７（ｂ）に示すように端部の被覆１１をストリッパ（図示せず）によって剥いた後、図７（ｃ）に示すように芯線１２の基端側に締結工具（図示せず）を用いてストッパ２を装着する。
【００４３】
図８は、実施形態に係る防護具側の装着準備作業を示す図である。
【００４４】
作業者は、電線１０の端部への装着に先だって、防護具１００側の準備作業を行う。
すなわち、作業者は、図８に示すように、端末キャップ３０を基端側に移動させた状態で、ストッパカバー２０のカバー本体２１を筒状に巻き、胴部の雄面ファスナー２２ａと雌面ファスナー２２ｂとを係合させ、先端側の雄面ファスナー２４ａと雌面ファスナー２４ｂとを係合させる。
しかる後、作業者は、装着時にストッパ２が容易に進入するようにカバー本体２１の基端側を拡げる。すると、剥がれ防止用カバー２６ａ，２６ｂ内で樹脂ワイヤ２７ａ，２７ｂが湾曲頂部が外側に向く開き位置に回転し、カバー本体２１の基端側が拡がった形状に保持される。
【００４５】
図９は、実施形態に係る防護具の取り付け工程を示す図である。
【００４６】
作業者は、防護具１００の準備作業が完了したら、図９（ａ）に示すように、芯線クランプ３２の把持部３２ａをホットスティック５のクランプ部５ａで挟みながら、防護具１００を電線１０の端部に移動させる。
次いで作業者は、図９（ｂ）に示すように、端末キャップ３０を芯線１２に被せ、端末キャップ３０の把持部３２ａを解放する。
すると、芯線クランプ３２によって芯線１２が強固に掴まれ、電線１０の端部に端末キャップ３０が固定される。
【００４７】
作業者は、端末キャップ３０の固定を終えると、図９（ｃ）に示すように、ストッパカバー２０の上端（すなわち、レール４１）をホットスティック５のクランプ部５ａで基端側に押し、ストッパカバー２０を基端側に移動させる。
これにより、ストッパ２の全体と端末キャップ３０の大部分とは、ストッパカバー２０によって覆われる。次いで作業者は、ストッパカバー２０の基端をホットスティック５のクランプ部５ａで挟み、基端側の雄面ファスナー２３ａと雌面ファスナー２３ｂとを係合させる。
この際、剥がれ防止用カバー２６ａ，２６ｂ内で樹脂ワイヤ２７ａ，２７が開き位置から９０°回転して閉じ位置となり、ストッパカバー２０の基端側が閉じる際の障害にならない。
【００４８】
（防護具の取り外し）
図１０は、実施形態に係る防護具の取り外し工程を示す図である。
【００４９】
接続作業を行うために、電線１０の端部から防護具１００を取り外す場合、作業者は、図１０（ａ）に示すように、先端側の把持パッチ２８をホットスティック５のクランプ部５ａで挟んでストッパカバー２０を先端側に強く引く。
すると、ストッパ２がストッパカバー２０の基端側の隙間に進入して基端側の雄面ファスナー２３ａと雌面ファスナー２３ｂとを剥離させ、図１０（ｂ）に示すように、スライド機構４０のレール４１上でスライダ４２が滑ることでストッパカバー２０が先端側に移動する。
この際、基端側の雄面ファスナー２３ａおよび雌面ファスナー２３ｂは、先端側縁部が剥がれ防止用カバー２６ａ，２６ｂによって覆われているため、ストッパ２が縁部に直接当たることによる剥がれが防止される。
【００５０】
ストッパカバー２０を先端側に移動させると、作業者は、図１０（ｃ）に示すように、芯線クランプ３２の把持部３２ａをホットスティック５のクランプ部５ａで挟んで芯線クランプ３２から芯線１２を解放し、そのまま防護具１００を先端側に移動させて取り外す。
しかる後、作業者は、芯線１２からストッパ２を取り外す。
【００５１】
このように、本実施形態の防護具１００によれば、少ない工数でかつ失敗なく電線１０の端部への脱着を行うことができる。
また、ストッパカバー２０は、スライド機構４０を介して端末キャップ３０に連結されているため、付け外しの際にホットスティック５で掴みそこねたり、装着後の外力等によって基端側の雄面ファスナー２３ａと雌面ファスナー２３ｂとが剥離したりしても、端末キャップ３０から外れて周囲の地面や建物などの上に落下することがない。
さらに、スライド機構４０のレール４１を介して端末キャップ３０に支えられているため、自重による垂れや変形も生じ難く、カバー本体２１の素材である絶縁シートに薄く柔軟なものを採用できるだけでなく、基端側の雄面ファスナー２３ａと雌面ファスナー２３ｂとに剥離強度の低いものが用いることができ製造コストの低減が図れる。
【００５２】
本実施形態の防護具１００では、長期の使用によってストッパカバー２０が傷んだ場合、連結バンド４３のボルト４４をレンチやドライバーによって緩める。すると、前述したようにバンド４５が拡径するため、端末キャップ３０を基端側に引き抜くことができる。これにより、連結バンド４３が付いた新しいストッパカバー２０と組み合わせることで、端末キャップ３０を再利用でき、防護具１００のランニングコストが低減される。なお、使用済みのストッパカバー２０からスライド機構４０を取り外して再利用すれば、防護具１００のランニングコストはより低減される。
【００５３】
［一部変形例］
図１１は、一部変形例に係るスライド機構の側面図である。
図１２は、一部変形例に係るスライド機構の基端側から見た斜視図である。
図１３は、一部変形例に係る図１１中のＢ−Ｂ断面図である。
【００５４】
図１１〜図１３は一部変形例に係るスライド機構の側面図であり、実施形態の図４〜図６に対応する。
同図に示すように、一部変形例では、スライド機構４０のレール４１が長方形断面を呈する樹脂棒であり、端部に基端側レールキャップ４１ａおよび先端側レールキャップ４１ｂが取り付けられている。
両レールキャップ４１ａ，４１ｂは、樹脂の射出成形品である。
【００５５】
スライダ４２は、樹脂を素材とする射出成形品であり、レール４１との相対回転を防止すべくレール４１に対応した長方形断面の内形を有している。
【００５６】
一部変形例では、このような構成を採ったことにより、ストッパカバー２０に対するレール４１の相対回転や、レール４１に対するスライダ４２の相対回転が効果的に抑制される。
また、レール４１やスライダ４２の製造が容易となり、防護具１００の生産コストが低減される。なお、一部変形例の作用は、上述した実施形態と同様である。
【００５７】
以上で具体的な実施形態および一部変形例の説明を終えるが、本発明の態様はこれらに限られるものではない。
例えば、上記実施形態や一部変形例のスライド機構では、ストッパカバーにレールを保持させ、端末キャップにスライダを固定するようにしたが、端末キャップにレールを固定し、ストッパカバーにスライダを保持させるようにしてもよい。
また、上記実施形態では、面ファスナーとして、雄面ファスナーと雌面ファスナーとからなる雄雌タイプを採用したが、雄雌の区別が無いタイプ（例えば、フックとループとが同一面に並んだもの）を採用してもよい。
また、端末キャップとスライド機構との連結を上述したねじ式の連結バンドではなく、樹脂素材の結束バンド等によって行うようにしてもよい。その他、ストッパカバーやスライド機構の具体的構造や各部材の形状や素材等についても適宜変更可能である。
【産業上の利用可能性】
【００５８】
本発明に係る防護具は、架空配電工事における間接活線工法での電線端部の処理に効果的に利用できる。
【符号の説明】
【００５９】
２      ストッパ
１０    電線
１１    被覆
１２    芯線
２０    ストッパカバー
２１    カバー本体
２２ａ〜２４ａ  雄面ファスナー
２２ｂ〜２４ｂ  雌面ファスナー
２５    帯状片
２５ａ  収容空間
２５ｂ  スリット
２６ａ，２６ｂ  剥がれ防止用カバー
２７ａ，２７ｂ  樹脂ワイヤ
２８    把持パッチ
３０    端末キャップ
３１    キャップ本体
３２    芯線クランプ
４０    スライド機構
４１    レール
４２    スライダ
４３    連結バンド
１００  防護具
【図１】
2017163794.tif 000003
【図２】
2017163794.tif 000004
【図３】
2017163794.tif 000005
【図４】
2017163794.tif 000006
【図５】
2017163794.tif 000007
【図６】
2017163794.tif 000008
【図７】
2017163794.tif 000009
【図８】
2017163794.tif 000010
【図９】
2017163794.tif 000011
【図１０】
2017163794.tif 000012
【図１１】
2017163794.tif 000013
【図１２】
2017163794.tif 000014
【図１３】
2017163794.tif 000015